(57)【要約】【課題】器具等を洗浄する洗浄装置の洗浄槽内に収容して用い、管状器具の内部に洗浄水を直接送水できる管状器具洗浄用ホルダを提供する。【解決手段】管状器具洗浄用ホルダ３０は洗浄水を噴射する洗浄ノズル２２，２３を設けた洗浄槽２０内に出し入れ自在に収容して、管状器具ＨＰの内部を洗浄するためのものであり、洗浄ノズル２２，２３に洗浄水を送出する送水管路２６に接続する洗浄水供給管３１と、洗浄水供給管３１の先端部に接続されたタンク３５と、タンク３５に設けられて管状器具ＨＰをタンク３５内と連通した状態で嵌合保持して管状器具ＨＰ内に洗浄水を送り出す筒形をした複数の送水アダプタ３９とを備えた。【選択図】図１
2015186500.tif 000002
【特許請求の範囲】
【請求項１】
洗浄水を噴射する洗浄ノズルを設けた洗浄槽内に出し入れ自在に収容して、管状器具の内部を洗浄するための管状器具洗浄用ホルダであり、
前記管状器具洗浄用ホルダは、前記洗浄ノズルに洗浄水を送出する送水管路に接続する洗浄水供給管と、前記洗浄水供給管の先端部に接続されたタンクと、前記タンクに設けられて前記管状器具を前記タンク内と連通した状態で嵌合保持して前記管状器具内に洗浄水を送り出す筒形をした複数の送水アダプタとを備えたことを特徴とする管状器具洗浄用ホルダ。
【請求項２】
請求項１に記載の管状器具洗浄用ホルダにおいて、
前記タンクは下側部分と、前記下側部分に着脱可能に取り付けられる上側部分とを備えたことを特徴とする管状器具洗浄用ホルダ。
【請求項３】
請求項１または２に記載の管状器具洗浄用ホルダにおいて、
前記送水アダプタはその内周面に前記管状器具を嵌合保持するものであり、前記送水アダプタの内周面には軸線方向の径を異なるように段部を設けたことを特徴とする管状器具洗浄用ホルダ。
【請求項４】
請求項１〜３の何れか１項に記載の管状器具洗浄用ホルダにおいて、
前記送水アダプタには先端開口を塞ぐキャップを着脱可能に取り付けたことを特徴とする管状器具洗浄用ホルダ。
【請求項５】
請求項１〜４の何れか１項に記載の管状器具洗浄用ホルダにおいて、
前記タンクには前記複数の送水アダプタを連続して並べた方向の一端部に前記洗浄水供給管を接続し、
前記タンクの底壁は前記洗浄水供給管を接続した側となる一端側が高くなるように傾斜させ、前記タンクの底壁の他端側に排水口を形成したことを特徴とする管状器具洗浄用ホルダ。
【請求項６】
請求項５に記載の管状器具洗浄用ホルダにおいて、
前記タンクの上壁には前記一端部に空気孔を形成したことを特徴とする管状器具洗浄用ホルダ。
【請求項７】
請求項１〜６の何れか１項に記載の管状器具洗浄用ホルダにおいて、
前記タンクには前記洗浄水供給管に連通接続される接続口を先端開口に有した接続管部を設け、前記接続管部の外周面に形成したねじ部に前記洗浄水供給管の先端部に回転可能に設けた締結ナットを螺合させて前記洗浄水供給管を前記タンクの接続管部に取り付けるようにしたものであり、前記接続管部と前記洗浄水供給管の先端部との一方に係合突部と他方にこの係合突部と係合する係合凹部とを設け、前記洗浄水供給管を前記接続管部に対して回り止めしたことを特徴とする管状器具洗浄用ホルダ。
【請求項８】
請求項１〜７の何れか１項に記載の管状器具洗浄用ホルダを洗浄槽内に収容した洗浄装置において、
前記洗浄槽内の上部には前記送水管路に連通した状態で取り付けられて、前記送水管路から送出される洗浄水を噴射させる前記洗浄ノズルを支持する筒形をした上部支持ホルダが設けられ、
前記上部支持ホルダは先端を開口させ、前記洗浄水供給管の基端部に回転自在に設けた締結ナットを前記上部支持ホルダの先端部に着脱可能に螺合させて取り付けることにより、前記洗浄水供給管を前記送水管路に連通接続させたことを特徴とする洗浄装置。
【請求項９】
請求項１〜７の何れか１項に記載の管状器具洗浄用ホルダを洗浄槽内に収容した洗浄装置において、
前記洗浄槽内の下部には前記送水管路に連通した状態で取り付けられて、前記送水管路から送出される洗浄水を噴射させる前記洗浄ノズルを支持する筒形をした下部支持ホルダが設けられ、
前記下部支持ホルダは先端を開口させ、前記洗浄水供給管の基端部に回転自在に設けた締結ナットを前記下部支持ホルダの先端部に着脱可能に螺合させて取り付けることにより、前記洗浄水供給管を前記送水管路に連通接続させたことを特徴とする洗浄装置。
【請求項１０】
請求項１〜７の何れか１項に記載の管状器具洗浄用ホルダを洗浄槽内に収容した洗浄装置において、
前記洗浄槽内には前記送水管路から分岐させた分岐管を突出させ、前記洗浄水供給管の基端部に回転自在に設けた締結ナットを前記分岐管の先端部に着脱可能に螺合させて取り付けることにより、前記洗浄水供給管を前記送水管路に連通接続させたことを特徴とする洗浄装置。
【発明の詳細な説明】
【技術分野】
【０００１】
本発明は、歯科用器具であるハンドピース、細長い管よりなる吸引管等の管状器具の内部を洗浄するための管状器具洗浄用ホルダ及びこの管状器具洗浄用ホルダを洗浄槽内に収容した洗浄装置に関する。
【背景技術】
【０００２】
特許文献１及び２には医療用器具等の被洗浄物を洗浄するための洗浄装置が開示されており、これらの洗浄装置では種々の医療用器具を洗浄するためにラックやスタンドが用いられている。特許文献１の洗浄装置では、Ｌ字形に大きく湾曲させた複数の排唾管を起立させた状態で支持する排唾管スタンドを洗浄槽内に収容するようにしている。排唾管は上端の開口部が上向きとなるように排唾管スタンドに支持されており、洗浄槽の上部に設けた洗浄ノズルから噴射される洗浄水が排唾管の上端の開口部から内部に流入して、排唾管内の汚れを洗い流すようにしている。また、特許文献２の洗浄装置では、喇叭形管状器具である耳鏡を支持するラックを洗浄槽内に収容するようにしている。耳鏡は径が拡がった先端側が上向きとなるように起立した状態でラックに支持されており、洗浄槽の上部に設けた洗浄ノズルから噴射される洗浄水が耳鏡の上端の開口部から内部に流入して、耳鏡内の汚れを洗い流すようにしている。
【先行技術文献】
【特許文献】
【０００３】
【特許文献１】特開２０１２−０８０９６８号公報
【特許文献２】特開２０１３−０９４４９２号公報
【発明の概要】
【発明が解決しようとする課題】
【０００４】
上記の特許文献１及び２の各洗浄装置に用いたスタンド及びラックでは、各管状器具は開口部が上向きとなるように支持され、洗浄槽の上部の洗浄ノズルから噴射した洗浄水は管状器具の上端の開口部から内部に流入し、管状器具の内部に付着した汚れは流れ落ちる洗浄水によって洗い流される。このように、排唾管や耳鏡等のような内部に洗浄水を流入させやすい形状の管状器具であれば、洗浄ノズルから噴射させた洗浄水により管状器具の内部を十分に洗浄することができる。しかし、歯科用器具であるハンドピース等の複雑な形状の管状器具または細長い可撓性の管よりなる内腔用器具等の管状器具を上記のスタンドまたはラックに支持させても、管状器具の内部に洗浄水が十分に流入させることができず、管状器具の内部を十分に洗浄できないことがあった。また、歯科用器具であるハンドピースを滅菌するための滅菌機器が特表２００８−５１４３７５に開示されている。しかし、この滅菌機器はハンドピースを洗浄後に濯ぎ及び滅菌する機器であるために、ハンドピースの内部を洗浄する機能を有していないばかりか、機器の構造が複雑であるために高価であり、さらに、他の器具を洗浄することができず汎用性が低かった。そこで、本発明は、器具等を洗浄する洗浄装置の洗浄槽内に収容して用い、管状器具の内部に洗浄水を直接送水できる管状器具洗浄用ホルダ及び管状器具洗浄用ホルダを洗浄槽内に収容した洗浄装置を提供することを目的とする。
【課題を解決するための手段】
【０００５】
本発明は上記課題を解決するため、洗浄水を噴射する洗浄ノズルを設けた洗浄槽内に収容して、管状器具の内部を洗浄するための管状器具洗浄用ホルダであり、管状器具洗浄用ホルダは、洗浄ノズルに洗浄水を送出する送水管路に接続する洗浄水供給管と、洗浄水供給管の先端部に接続されたタンクと、タンクに設けられて管状器具をタンク内と連通した状態で嵌合保持して管状器具内に洗浄水を送り出す筒形をした複数の送水アダプタとを備えたことを特徴とする管状器具洗浄用ホルダを提供するものである。
【０００６】
上記のように構成した管状器具洗浄用ホルダにおいては、洗浄装置の洗浄水の送水管路内の洗浄水は洗浄水供給管からタンク内に供給され、タンク内に供給された洗浄水は送水アダプタから管状器具の内部に直接送水されるようになり、管状器具の内部に付着した汚れを確実に取り除くことができるようになった。
【０００７】
上記のように構成した管状器具洗浄用ホルダにおいては、タンクは下側部分と、下側部分に着脱可能に取り付けられる上側部分とにより構成されるのが好ましく、このようにしたときには、タンク内に水垢等の汚れが発生しても、下側部分から上側部分を取り外して内部を洗浄することができ、タンク内を清潔に保つことができるようになった。
【０００８】
上記のように構成した管状器具洗浄用ホルダにおいては、送水アダプタはその内周面に管状器具を嵌合保持するものであり、送水アダプタの内周面には軸線方向の径を異なるように段部を設けるのが好ましく、このようにしたときには、送水アダプタに径の異なる複数の種類の管状器具を保持させることができるようになった。
【０００９】
上記のように構成した管状器具洗浄用ホルダにおいては、送水アダプタには先端開口を塞ぐキャップを着脱可能に取り付けるのが好ましく、このようにしたときには、管状器具を保持させてない送水アダプタにキャップを取り付けることで漏水を防ぐことができ、送水アダプタに保持させた管状器具に送水される洗浄水の減少を抑制することができた。
【００１０】
上記のように構成した管状器具洗浄用ホルダにおいては、タンクには複数の送水アダプタを連続して並べた方向の一端部に洗浄水供給管を接続し、タンクの底壁は洗浄水供給管を接続した側となる一端側が高くなるように傾斜させ、タンクの底壁の他端側に排水口を形成するのが好ましい。このようにしたときには、タンクの底壁の排水口が洗浄水供給管を接続した一端側と離れた他端側に配置されることになり、管状器具に送水される洗浄水の減少を抑制できた。また、排水口は傾斜したタンクの底壁の低い位置に形成されているので、洗浄後にタンク内に洗浄水が残りにくくなった。特に、洗剤を含んだ洗浄水を用いて洗浄した後に洗剤を含んだ洗浄水を排水し、その後、洗剤を含まない洗浄水を用いて濯ぎ洗浄をするときに、タンク内に洗剤を含んだ洗浄水が残っていると、濯ぎ洗浄の洗浄水に洗剤が含まれた洗浄水が混ざるおそれがあるが、タンク内に洗浄水が残りにくくなったので、濯ぎ洗浄の洗浄水に洗剤が含まれた洗浄水が混ざるのを防ぐことができ、濯ぎ洗浄の洗浄水を清浄に保つことができる。また、このように構成した管状器具洗浄用ホルダにおいては、タンクの上壁には洗浄水供給管を接続した側の一端部に空気孔を形成するのが好ましく、このようにしたときには、空気孔からタンク内に導入される空気によって、タンク内の洗浄水が排水口から排出されやすくなった。
【００１１】
上記のように構成した管状器具洗浄用ホルダにおいては、タンクには洗浄水供給管に連通接続される接続口を先端開口に有した接続管部を設け、接続管部の外周面に形成したねじ部に洗浄水供給管の先端部に回転可能に設けた締結ナットを螺合させて洗浄水供給管をタンクの接続管部に取り付けるようにしたものであり、接続管部と洗浄水供給管の先端部との一方に係合突部と他方にこの係合突部と係合する係合凹部とを設け、洗浄水供給管を接続管部に対して回り止めするのが好ましく、このようにしたときには、洗浄水供給管が捻れに起因して潰れるのを防ぐことができ、タンク内に洗浄水が供給されなくなるのを防ぐことができた。
【００１２】
上記のように構成した管状器具洗浄用ホルダを洗浄槽内に収容した洗浄装置では、洗浄槽内の上部には送水管路に連通した状態で取り付けられて、送水管路から送出される洗浄水を噴射させる洗浄ノズルを支持する筒形をした上部支持ホルダが設けられ、上部支持ホルダは先端を開口させ、洗浄水供給管の基端部に回転自在に設けた締結ナットを上部支持ホルダの先端部に着脱可能に螺合させて取り付けることにより、洗浄水供給管を送水管路に連通接続させるのが好ましい。
【００１３】
上記のように構成した管状器具洗浄用ホルダを洗浄槽内に収容した他の洗浄装置では、洗浄槽内の下部には送水管路に連通した状態で取り付けられて、送水管路から送出される洗浄水を噴射させる洗浄ノズルを支持する筒形をした下部支持ホルダが設けられ、下部支持ホルダは先端を開口させ、洗浄水供給管の基端部に回転自在に設けた締結ナットを下部支持ホルダの先端部に着脱可能に螺合させて取り付けることにより、洗浄水供給管を送水管路に連通接続させるのが好ましい。
【００１４】
上記のように構成した管状器具洗浄用ホルダを洗浄槽内に収容した他の洗浄装置では、洗浄槽内には送水管路から分岐させた分岐管を突出させ、洗浄水供給管の基端部に回転自在に設けた締結ナットを分岐管の先端部に着脱可能に螺合させて取り付けることにより、洗浄水供給管を送水管路に連通接続させるのが好ましい。
【図面の簡単な説明】
【００１５】
【図１】本発明による洗浄装置の概略図である。
【図２】洗浄ラック内に管状器具洗浄ホルダを収納した状態を示す斜視図である。
【図３】管状器具洗浄ホルダの分解図である。
【図４】管状器具洗浄ホルダの長手方向に沿った縦断面図であり、送水アダプタの一部にハンドピースの代わりにキャップを取り付けた図である。
【図５】洗浄水供給管とタンクとの接続部分を示す斜視図である。
【図６】洗浄水供給管を下部の洗浄ノズルを支持する下部支持ホルダに接続した洗浄装置の概略図であり、洗浄槽内を中心として示した概略図である。
【図７】洗浄水供給管を送水管路の分岐管部に接続した洗浄装置の概略図であり、洗浄槽内を中心として示した概略図である。
【図８】吸引管等の細径の管状器具を洗浄するための管状器具洗浄ホルダを洗浄ラックに収容した斜視図である。
【図９】図８の管状器具洗浄ホルダの長手方向に沿った縦方向断面図（ａ）と、下側から見た横方向断面図（ｂ）である。
【発明を実施するための形態】
【００１６】
以下に、本発明による管状器具洗浄用ホルダ及び管状器具洗浄用ホルダを洗浄槽内に収容した洗浄装置を図面を参照して説明する。管状器具洗浄用ホルダ３０を洗浄槽２０内に収容する洗浄装置１０は、主として医療用器具等の被洗浄物を洗浄するためのものであり、図１に示したように、ハウジング１１内に粗い網籠状の洗浄ラック１２を出し入れ自在に収容する洗浄槽２０を備えている。図１及び図２に示したように、洗浄ラック１２は医療用器具等の被洗浄物や管状器具洗浄用ホルダ３０を収納するものである。図１に示したように、ハウジング１１の前面には洗浄槽２０内を開閉する扉１３が開閉自在に設けられており、洗浄ラック１２は扉１３を開放することによって洗浄槽２０の内外に出し入れされる。洗浄槽２０は底部に洗浄水を貯える貯水部２１を有している。貯水部２１には洗浄水を加熱するヒータ（図示省略）と、洗浄水の温度を検出する温度センサ（図示省略）が設けられている。なお、洗浄槽２０には給水管、給湯管、熱湯供給装置及び洗剤供給装置（何れも図示省略）が接続されており、洗浄槽２０にはこれら給水管、給湯管、熱湯供給装置及び洗剤供給装置から水、湯または熱湯よりなる洗浄水及び洗剤が供給されるようになっている。
【００１７】
洗浄槽２０の下部と上部には貯水部２１から送られる洗浄水を被洗浄物に対して噴出する洗浄ノズル２２，２３が回転可能に設けられている。ハウジング１１の下部には貯水部２１内の洗浄水を洗浄ノズル２２，２３に送り出すための洗浄ポンプ２４が設けられている。洗浄ポンプ２４の吸込口は吸込管２５により貯水部２１に接続され、洗浄ポンプ２４の送出口は送水管路２６によって洗浄ノズル２２，２３に接続されている。
【００１８】
送水管路２６は貯水部２１の洗浄水を洗浄ノズル２２，２３に洗浄水を送り出すための管路である。送水管路２６は洗浄ポンプ２４の送出口に接続されて洗浄槽２０の下側にて前後方向に延びる下部管路２６ａと、下部管路２６ａに連通接続されて洗浄槽２０の後側にて垂直に延びる後部管路２６ｂと、後部管路２６ｂに連通接続されて洗浄槽２０の上側にて前後方向に延びる上部管路２６ｃとを備えている。下部管路２６ａには洗浄槽２０の下壁の略中央部を上方に突出する取付管部２６ａ１が設けられており、取付管部２６ａ１には下部支持ホルダ２７によって洗浄ノズル２２が回転可能に支持されている。また、上部管路２６ｃには洗浄槽２０の上壁の略中央部を下方に突出する取付管部２６ｃ１が設けられており、取付管部２６ｃ１には上部支持ホルダ２８によって洗浄ノズル２３が回転可能に支持されている。下部及び上部支持ホルダ２７，２８はともに略筒形をしており、各取付管部２６ａ１，２６ｃ１と各洗浄ノズル２２，２３とを通水可能に連通している。上部支持ホルダ２８の先端は開口しており、上部支持ホルダ２８の先端部には後述する洗浄水供給管３１の基端部の締結ナット３２を着脱可能に螺合させて取り付けることにより、洗浄水供給管３１を送水管路２６に連通接続させる。なお、管状器具洗浄用ホルダ３０を使用しないときには、上部支持ホルダ２８の先端開口を塞ぐ蓋体よりなる閉止キャップ（図示省略）を螺合させて着脱可能に取り付けて、上部支持ホルダ２８の先端開口を塞ぐようにしてもよい。
【００１９】
図１及び図２に示したように、管状器具洗浄用ホルダ３０は、管状器具として歯科用器具であるハンドピースを洗浄することを目的としたものであり、洗浄ラック１２に収納した状態で洗浄槽２０に収容して使用するものである。管状器具洗浄用ホルダ３０により洗浄するハンドピースＨＰは基端から先端にかけて水または空気を送る通路が形成された中空の管状器具である。管状器具洗浄用ホルダ３０は、洗浄ノズル２２，２３に洗浄水を送出する送水管路２６に接続する洗浄水供給管３１と、洗浄水供給管３１の先端部に接続されたタンク３５と、タンク３５に設けられてハンドピースＨＰをタンク３５内と連通した状態で嵌合保持する筒形をした８つ（複数）の送水アダプタ３９とを備えている。
【００２０】
図２及び図３に示したように、洗浄水供給管３１はタンク３５に洗浄水を供給するものであり、可撓性を有した耐熱性のホースを用いたものである。洗浄水供給管３１の基端部には締結ナット３２が回転自在に設けられており、締結ナット３２は洗浄水供給管３１の先端部内周面に嵌め込んだ抜止め部材（図示省略）によって洗浄水供給管３１の基端部から抜け止めされている。洗浄水供給管３１の基端部は締結ナット３２を上部支持ホルダ２８の先端部外周に形成したねじ部に着脱可能に螺合させて締結することで送水管路２６に連通接続されている。
【００２１】
図５に示したように、洗浄水供給管３１の先端部には締結ナット３３が回転可能に設けられており、締結ナット３３は洗浄水供給管３１の先端部内周面に嵌め込んだ抜止め部材３４により洗浄水供給管３１の先端部から抜け止めされている。洗浄水供給管３１の先端部は締結ナット３３をタンク３５の接続管部３８の外周部に形成したねじ部に締結することでタンク３５に連通接続されている。また、抜止め部材３４は洗浄水供給管３１の先端部の内周面に嵌め込まれた筒部（図示量略）と、筒部の先端にて外側に拡がった環状のフランジ部３４ａとを備えている。フランジ部３４ａには外側に突出した係合突部３４ａ１が形成されており、係合突部３４ａ１は後述するタンク３５の接続管部３８の先端部に形成した係合凹部３８ａに係合して、洗浄水供給管３１が周方向に回るのを防ぐ機能を有している。
【００２２】
図２〜図４に示したように、タンク３５は洗浄水供給管３１から供給された洗浄水を８つの送水アダプタ３９に保持させた各ハンドピースＨＰに分配するためものである。タンク３５は周部に外側に拡がるフランジ３６ｂを有して上面が開口した浅い箱形をした下皿（下側部分）３６と、下皿３６の上面開口を覆うカバー体（上側部分）３７とを備えて、下皿３６のフランジ部３６ｂにカバー体３７の周縁部をねじにより着脱可能に固定したものである。また、タンク３５は下皿３６とカバー体３７との間にこれらの間をシールする耐熱性を有したシリコン製のパッキン４１を備えている。
【００２３】
図３及び図４に示したように、下皿３６は上面が開口した略直方体形状をした浅い箱形をした皿部３６ａの周部に外側に拡がるフランジ部３６ｂを形成したものである。皿部３６ａの底壁には長手方向の端部に小さな孔よりなる排水口３６ｃが形成されている。
【００２４】
カバー体３７は板金部材を折り曲げ加工したものであり、略長方形状をして下皿３６の上面を覆うカバー部３７ａを備えている。カバー部３７ａには長手方向の一端を下側及び内側に折り曲げた脚部３７ｂが形成されており、脚部３７ｂは下皿３６の皿部３６ａの排水口３６ｃが低い高さ位置となるようにタンク３５の底壁を傾斜させる機能を有している。
【００２５】
カバー部３７ａには脚部３７ｂと同じ側の長手方向の一端部に洗浄水供給管３１を接続するための接続管部３８が設けられており、接続管部３８は先端開口を洗浄水供給管３１に連通接続される接続口としている。接続管部３８の外周部にはねじ部が形成されており、接続管部３８に洗浄水供給管３１の先端部の締結ナット３３を螺合させて締結することで、洗浄水供給管３１はタンク３５に連通接続される。図５に示したように、接続管部３８の先端部には切り欠きよりなる係合凹部３８ａが形成されており、係合凹部３８ａは洗浄水供給管３１の先端部の抜止め部材３４のフランジ部３４ａの係合突部３４ａ１と係合することで、洗浄水供給管３１が周方向に回るのを防ぐ機能を有している。
【００２６】
図３及び図５に示したように、カバー部３７ａには接続管部３８の周囲に小さな孔よりなる空気孔３７ｃが形成されており、空気孔３７ｃはタンク３５内に空気を導入して排水口３６ｃから洗浄水を排水しやすくするためのものである。
【００２７】
図３及び図４に示したように、カバー部３７ａには接続管部３８より他端側に長手方向に沿って並ぶ４つの貫通孔が２列に形成されており、これらの貫通孔にはハンドピースＨＰを保持する送水アダプタ３９が着脱可能に取り付けられている。図４に示したように、送水アダプタ３９はシリコン製の筒形部材よりなり、内周面３９ａには軸線方向の径が異なるように段部が形成されている。送水アダプタ３９の内周面３９ａは大径部３９ａ１と、中径部３９ａ２と、小径部３９ａ３とからなり、大径部３９ａ１の径は２０ｍｍとなっており、中径部の上端の径は１６ｍｍとなっており、小径部の径は１４ｍｍとなっている。大径部３９ａ１には基端部の径が２０ｍｍのハンドピースＨＰを嵌合させるようになっている。また、中径部３９ａ２は基端側に向けて少し径が細くなるように傾斜しており、中径部３９ａには基端部の径が１６ｍｍのハンドピースＨＰを嵌合させるようになっている。
【００２８】
図４に示したように、送水アダプタ３９の先端部にはキャップ４０が着脱自在に取り付けられており、キャップ４０は送水アダプタ３９の先端開口を塞ぐ機能を有している。キャップ４０は送水アダプタ３９の先端開口より大きな径をした略円板形をした頭部４０ａと、送水アダプタ３９の大径部３９ａ１に嵌合させる円柱形をした胴部４０ｂとを備え、胴部４０ｂの軸線方向の中間部には抜け止めのための管状突部４０ｃが形成されている。ハンドピースＨＰを嵌合保持させてない送水アダプタ３９にキャップ４０を取り付けることで、送水アダプタ３９から洗浄水が漏水するのを防ぐことができ、送水アダプタ３９に嵌合保持させたハンドピースＨＰ内に送水される洗浄水が減少するのを防ぐことができた。
【００２９】
上記のように構成した管状器具洗浄用ホルダ３０を用いたハンドピースＨＰの洗浄について説明する。使用後のハンドピースＨＰを管状器具洗浄用ホルダ３０の送水アダプタ３９の内周面３９ａに嵌合保持させて、管状器具洗浄用ホルダ３０を洗浄ラック１２に収納する。このとき、送水アダプタ３９の全てにハンドピースＨＰを嵌合保持させてないときには、ハンドピースＨＰを嵌合保持させてない送水アダプタ３９にキャップ４０を取り付ける。管状器具洗浄用ホルダ３０を収納した洗浄ラック１２を洗浄槽２０内に収容し、洗浄水供給管３１の基端部の締結ナット３２を上部支持ホルダ２８の先端部に螺合させて締結固定する。なお、洗浄ラック１２には管状器具洗浄用ホルダ３０以外に他の医療用器具（被洗浄物）を収納して、ハンドピースＨＰとともに他の医療用器具を洗浄することが可能である。
【００３０】
この状態で、洗浄装置１０の洗浄プログラムを開始すると、洗浄槽２０内に洗浄水と洗剤が供給され、洗浄ポンプ２４を駆動させることによって送水管路２６に貯水部２１の洗浄水が送り出される。送水管路２６に送り出された洗浄水は上部及び下部の洗浄ノズル２２，２３から洗浄槽２０内にて管状器具洗浄用ホルダ３０に保持されたハンドピースＨＰの外面及び他の医療用器具に噴射される。また、送水管路２６に送り出された洗浄水は上部支持ホルダ２８から洗浄水供給管３１によってタンク３５に供給され、タンク３５内に供給された洗浄水は各送水アダプタ３９からハンドピースＨＰの内部に直接送水されて先端の開口から洗浄槽２０内に放出される。
【００３１】
この洗浄プログラムでは、洗剤を含んだ洗浄水によって洗浄した後に、洗剤を含まない洗浄水により１回以上の濯ぎ洗浄を行う。濯ぎ洗浄を行う前には、洗浄ポンプ２４の駆動を停止させて洗浄槽２０の貯水部２１から洗剤を含んだ洗浄水を外部に排水する。管状器具洗浄用ホルダ３０では、洗浄ポンプ２４の駆動停止によって洗浄水供給管３１からタンク３５内に洗浄水が供給されないようになる。タンク３５内の洗浄水は下皿３６の排水口３６ｃから洗浄槽２０内に排出され、排出された洗浄水は貯水部２１に流れ落ちて同様に外部に排水される。
【００３２】
洗剤を含んだ洗浄水を貯水部２１から外部に排水した後で、洗浄槽２０内に洗浄水を再び供給し、洗浄ポンプ２４を駆動させることにより濯ぎの洗浄を実行させる。濯ぎの洗浄でも、洗浄水は上部及び下部の洗浄ノズル２２，２３から洗浄槽２０内にて管状器具洗浄用ホルダ３０に保持されたハンドピースＨＰの外面及び他の医療用器具に噴射されるとともに、管状器具洗浄用ホルダ３０の各送水アダプタ３９に嵌合保持されたハンドピースＨＰの内部に直接送水されて洗浄される。濯ぎ洗浄後には、洗剤を用いた洗浄水と同様に貯水部２１から外部に排水を行う。
【００３３】
上記のように構成した管状器具洗浄用ホルダ３０は、洗浄ラック１２内にて他の医療用器具（被洗浄物）とともに洗浄装置１０の洗浄槽２０に収容可能であり、他の医療用器具の洗浄とともにハンドピースＨＰ（管状器具）の内部を洗浄するものであるので、ハンドピースＨＰを洗浄するための専用の洗浄装置と比べて、コストを大幅にかけることなくハンドピースＨＰの内部を洗浄できるようになった。
【００３４】
管状器具洗浄用ホルダ３０は、洗浄ノズル２２，２３に洗浄水を送出する送水管路２６に接続する洗浄水供給管３１と、洗浄水供給管３１の先端部に接続されたタンク３５と、タンク３５に設けられてハンドピースＨＰをタンク３５内と連通した状態で嵌合保持する筒形をした複数の送水アダプタ３９とを備えている。送水管路２６内の洗浄水は洗浄水供給管３１からタンク３５内に供給され、タンク３５内に供給された洗浄水は送水アダプタ３９からハンドピースＨＰの内部に直接送水されるようになり、ハンドピースＨＰの内部に付着した汚れを確実に取り除くことができるようになった。
【００３５】
管状器具洗浄用ホルダ３０のタンク３５は、下皿（下側部分）３６と、下皿３６の上面開口を覆うカバー体（上側部分）３７とを備え、下皿３６にカバー体３７を着脱可能に取り付けるようにしたものである。これにより、タンク３５内に水垢等の汚れが発生しても、下皿３６からカバー体３７を取り外して内部を洗浄することができ、タンク３５内を清潔に保つことができるようになった。
【００３６】
管状器具洗浄用ホルダ３０の送水アダプタ３９は筒形をしており、その内周面３９ａにハンドピースＨＰの基端部を嵌合保持するようにした。送水アダプタ３９の内周面３９ａには軸線方向の径が異なるように段部を設け、内周面３９ａには大径部３９ａ１，中径部３９ａ２及び小径部３９ａ３とを形成している。大径部３９ａ１には基端部の太いハンドピースＨＰを嵌合保持させるようにし、中径部３９ａ２には大径部３９ａ１に嵌合保持させたよりも基端部の細いハンドピースＨＰを嵌合保持させるようにした。これにより、１つの送水アダプタ３９で基端部の径の異なる２種類のハンドピースＨＰを嵌合保持させるができ、基端部の径の異なる２つの種類のハンドピースＨＰであれば送水アダプタ３９を取り替える必要がなくなった。なお、基端部の径の異なる３種類以上のハンドピースＨＰの全てを嵌合保持させるために、送水アダプタ３９の内周面３９ａにさらに段部を設けるようにしてもよい。
【００３７】
管状器具洗浄用ホルダ３０の送水アダプタ３９には、先端開口を塞ぐキャップ４０を着脱可能に取り付けるようにしている。ハンドピースＨＰを嵌合保持させない送水アダプタ３９にキャップ４０を取り付けることで、ハンドピースＨＰを嵌合保持させない送水アダプタ３９から漏水を防ぐことができ、送水アダプタ３９に嵌合保持させたハンドピースＨＰに送水される洗浄水の減少を抑制することができた。
【００３８】
管状器具洗浄用ホルダ３０においては、タンク３５には送水アダプタ３９を連続して多く並べた方向の一端部に洗浄水供給管３１を接続し、タンク３５の底壁はカバー体３７の脚部３７ｂによって洗浄水供給管３１を接続した側となる一端側が高くなるように傾斜させ、タンク３５の底壁の他端側に排水口３６ｃを形成した。これにより、タンク３５の底壁の排水口３６ｃが洗浄水供給管３１を接続した一端側と離れた他端側に配置されることになり、ハンドピースＨＰの内部に送水される洗浄水の減少を抑制できた。また、排水口３６ｃは傾斜したタンク３５の底壁の低い位置に形成されているので、洗浄ポンプ２４の駆動を停止させて、洗浄水供給管３１からタンク３５内に洗浄水の供給を停止させた後で、タンク３５内に洗浄水が残りにくくなった。また、下皿３６は皿部３６ａの長手方向の端部にもフランジ３６ｃを設けたので、皿部３６ａの長手方向の端部に形成した排水口３６ｃは洗浄ラック１２の底壁から離間することになり、排水口３６ｃからの排水が洗浄ラック１２の底壁によって遮られることがない。
【００３９】
洗剤を含んだ洗浄水を用いて洗浄した後に洗剤を含んだ洗浄水を排水し、その後、洗剤を含まない洗浄水を用いて濯ぎ洗浄をするときに、タンク３５内に洗剤を含んだ洗浄水が残っていると、濯ぎ洗浄の洗浄水に洗剤が含まれた洗浄水が混ざるおそれがあるが、タンク３５の排水口３６ｃを上記のように考慮したことで、タンク３５内に洗浄水が残りにくくなり、濯ぎ洗浄の洗浄水に洗剤が含まれた洗浄水が混ざるのを防ぐことができ、濯ぎ洗浄の洗浄水を清浄に保つことができた。また、タンク３５のカバー体３７（上壁）には洗浄水供給管３１を接続した側の一端部に空気孔３７ｃを形成したので、空気孔３７ｃからタンク３５内に導入される空気によって、タンク３５内の洗浄水が排水口３６ｃから排出されやすくなった。なお、タンク３５の底壁はカバー体３７の脚部３７ｂによって傾斜させているが、本発明はこれに限られるものでなく、タンク３５の底壁（下皿３６）下面に脚部を設けたり、タンク３５のカバー体３７に洗浄ラック１２に係止可能なフックを設けて、タンク３５の底壁が傾斜するように支持させてもよい。
【００４０】
管状器具洗浄用ホルダ３０においては、タンク３５には洗浄水供給管３１に連通接続される接続口を先端開口に有した接続管部３８を設け、接続管部３８の外周面に形成したねじ部に洗浄水供給管３１の先端部に回転可能に設けた締結ナット３３を螺合させて洗浄水供給管３１をタンク３５の接続管部３８に取り付けるようにした。洗浄水供給管３１の先端部には締結ナット３３が抜けるのを防ぐ抜止め部材３４が設けられ、抜止め部材３４の先端にて外側に拡がった環状のフランジ部３４ａには外側に突出する係合突部３４ａ１をも設けるとともに、タンク３５の接続管部３８の先端部には係合突部３４ａ１に係合する係合凹部３８ａを形成した。洗浄水供給管３１の先端部の係合突部３４ａ１を接続管部３８の係合凹部３８ａに係合させることで、締結ナット３３を接続管部３８に螺合させるときに、洗浄水供給管３１が接続管部３８に対して周方向に回らないようになり、洗浄水供給管３１が捻れに起因して潰れるのを防ぐことができ、タンク３５内に洗浄水が供給されなくなるのを防ぐことができた。なお、洗浄水供給管３１の先端部の抜止め部材３４のフランジ部３４ａに係合突部３４ａ１と接続管部３８の先端部に係合凹部３８ａを設けたが、これに限られるものでなく、フランジ部３４ａに係合凹部を設け、接続管部３８の先端部に係合突部を設けて、洗浄水供給管３１が接続管部３８に対して周方向に回らないようにしてもよい。
【００４１】
上記のように構成した管状器具洗浄用ホルダ３０を洗浄槽２０に収容した洗浄装置１０は、洗浄槽２０内の上部に設けた洗浄ノズル２３を保持する上部支持ホルダ２８の先端部に管状器具洗浄用ホルダ３０の洗浄水供給管３１の基端部に設けた締結ナット３２を螺合させて取付けることによりことにより、洗浄水供給管３１を送水管路２６に連通接続したものである。洗浄水供給管３１の基端部の締結ナット３２を上部支持ホルダ２８の先端部に螺合させて取り付けたので、洗浄水供給管３１を上部支持ホルダ２８から漏水させることなく確実に取り付けることができ、また、管状器具洗浄用ホルダ３０を使用しないときには、上部支持ホルダ２８の先端部に閉止キャップ（図示省略）を螺合させて取り付けることで、上下の洗浄ノズル２２，２３からのみ洗浄水を噴射させる従来の洗浄装置として使用することができる。
【００４２】
本発明はこれに限られるものでなく、図６（図６はハウジング、洗浄ポンプ等を省略しているが、図１と同様にハウジング内に洗浄ポンプ等を有している）に示したように、下部の洗浄ノズル２２を支持する筒形をした下部支持ホルダ２７の先端を開口させ、洗浄水供給管３１の基端部の締結ナット３２を下部支持ホルダ２７の先端部に着脱可能に螺合させて取り付けることにより、洗浄水供給管３１を送水管路２６に連通接続させてもよい。この場合でも、洗浄水供給管３１の基端部の締結ナット３２を下部支持ホルダ２７の外周部に螺合させて取り付けたので、洗浄水供給管３１を下部支持ホルダ２７から漏水させることなく確実に取り付けることができ、また、管状器具洗浄用ホルダ３０を使用しないときには、閉止キャップ（図示省略）を下部支持ホルダ２７に螺合させて取り付けることで、上下の洗浄ノズル２２，２３からのみ洗浄水を噴射させる従来の洗浄装置として使用することができる。
【００４３】
同様に、図７（図７はハウジング、洗浄ポンプ等を省略しているが、図１と同様にハウジング内に洗浄ポンプ等を有している）に示したように、送水管路２６の後部管路２６ｂの上下方向の略中間部には洗浄槽２０内に突出する分岐管部２６ｂ１を設け、洗浄水供給管３１の基端部の締結ナット３２を分岐管部２６ｂ１の先端部に着脱可能に螺合させて取り付けることにより、洗浄水供給管３１を送水管路２６に連通接続させてもよい。この場合でも、洗浄水供給管３１の基端部の締結ナット３２を分岐管部２６ｂ１の先端部に螺合させて取り付けたので、洗浄水供給管３１を分岐管部２６ｂ１から漏水させることなく確実に取り付けることができ、また、管状器具洗浄用ホルダ３０を使用しないときには、閉止キャップ（図示省略）を分岐管部２６ｂ１の先端部に螺合させて取り付けることで、上下の洗浄ノズル２２，２３からのみ洗浄水を噴射させる従来の洗浄装置として使用することができる。
【００４４】
また、上述した管状器具洗浄用ホルダ３０は歯科用器具であるハンドピースＨＰを洗浄することを目的としたものであるが、本発明はこれに限られるものでなく、図８に示したように内腔の検査及び施術に用いる吸引管等の細径の管状器具を洗浄するための管状器具洗浄用ホルダ３０Ａにも適用されるものである。この管状器具洗浄用ホルダ３０Ａは、洗浄ラック１２の一側に寄せてに収納した状態で洗浄槽２０に収容して使用される。管状器具洗浄用ホルダ３０Ａは、洗浄ノズル２２，２３に洗浄水を送出する送水管路２６に接続する洗浄水供給管３１と、洗浄水供給管３１の先端部に接続されたタンク３５Ａと、タンク３５Ａに設けられて吸引管（図示省略）をタンク３５内と連通した状態で嵌合保持する筒形をした８つ（複数）の送水アダプタ３９Ａとを備えている。
【００４５】
洗浄水供給管３１はタンク３５Ａに洗浄水を供給するものであり、可撓性を有した耐熱性のホースを用いたものである。上記の実施形態と同様に、洗浄水供給管３１の基端部は締結ナット３２によって上部支持ホルダ２８の先端部外周に形成したねじ部に螺合させて締結することで送水管路２６に連通接続されている。なお、図６及び図７と同様に、洗浄水供給管３１の基端部を締結ナット３２によって下部支持ホルダ２７または分岐管部２６ｂ１に着脱可能に取り付けるようにしてもよい。
【００４６】
タンク３５Ａは洗浄水供給管３１から供給された洗浄水を８つの送水アダプタ３９Ａに保持させた各吸引管（管状器具）に分配するためものである。タンク３５Ａは洗浄水供給管３１の先端部を接続した長手方向の一端部に脚部３７ｂが設けられており、脚部３７ｂはタンク３５Ａの底壁の長手方向の他端部に形成した排水口（図示省略）が低い高さ位置となるようにタンク３５Ａの底壁を傾斜させている。タンク３５Ａの側面には８つの貫通孔が一列に形成されており、各貫通孔には送水アダプタ３９Ａが着脱可能に取り付けられている。送水アダプタ３９Ａはシリコン製の筒形部材の本体部３９Ａａと、本体部３９Ａａの内周面に取り付けたニップル３９Ａｂと、ニップル３９Ａｂの先端部外周面に嵌め込んだ送水ホース３９Ａｃとを備え、吸引管等の管状器具を送水ホース３９Ａｃの外周面または内周面に嵌め込んで保持するものである。このように構成した管状器具洗浄用ホルダ３０Ａにおいても、送水管路２６から送り出された洗浄水は洗浄水供給管３１からタンク３５Ａ内に供給され、タンク３５Ａ内の洗浄水は各送水アダプタ３９Ａから吸引管等の管状器具の内部に直接送水され、吸引管等の管状器具の先端開口から洗浄槽２０内に放出される。この管状器具洗浄用ホルダ３０Ａによっても、上記のハンドピースＨＰの管状器具洗浄用ホルダ３０と同様の作用効果を得ることができるので、詳細な説明は省略する。
【符号の説明】
【００４７】
１０…洗浄装置、２０…洗浄槽、２２，２３…洗浄ノズル、２６…送水管路、２６ｂ１…分岐管（分岐管部）、２７…下部支持ホルダ、２８…上部支持ホルダ、３０…管状器具洗浄用ホルダ、３１…洗浄水供給管、３２…締結ナット、３３…締結ナット、３４ａ１…係合突部、３５…タンク、３６…下側部分（下皿）、３６ｃ…排水口、３７…上側部分（カバー体）、３７ｃ…空気孔、３８…接続管部、３８ａ…係合凹部、３９…送水アダプタ，３９ａ…内周面、４０…キャップ、ＨＰ…管状器具（ハンドピース）。
【図１】
2015186500.tif 000003
【図２】
2015186500.tif 000004
【図３】
2015186500.tif 000005
【図４】
2015186500.tif 000006
【図５】
2015186500.tif 000007
【図６】
2015186500.tif 000008
【図７】
2015186500.tif 000009
【図８】
2015186500.tif 000010
【図９】
2015186500.tif 000011